(57)【特許請求の範囲】
【請求項１】
長尺物を保持する長尺物保持具において、長尺物を保持する保持部と、当該保持部を支持するベース部とを設け、当該ベース部を取り付け対象物に固定するための固定部材を介して、予め定められた角度のいずれか一つを選択して取り付け対象物に固定するための固定部材取付部を設けているものであって、
ベース部の高さが保持部ないし挟み込み部の後端側の高さとほぼ同じであるとともに、ベース部と保持部ないし挟み込み部の左右の外側部分とが接する箇所からベース部の後端面側に向けて貫通する固定部材取付部である開口部、及びベース部と挟み込み部との間に上下に貫通する固定部材取付部である開口部を設けたことを特徴とする長尺物保持具。
【請求項２】
長尺物を挟み込んで保持する長尺物保持具において、長尺物を挟み込むための空間を隔てて設けられた挟み込み部と、当該挟み込み部を支持するベース部とを設け、当該ベース部を取り付け対象物に固定するための固定部材を介して、予め定められた角度のいずれか一つを選択して取り付け対象物に固定するための固定部材取付部を設けているものであって、
ベース部の高さが保持部ないし挟み込み部の後端側の高さとほぼ同じであるとともに、ベース部と保持部ないし挟み込み部の左右の外側部分とが接する箇所からベース部の後端面側に向けて貫通する固定部材取付部である開口部、及びベース部と挟み込み部との間に上下に貫通する固定部材取付部である開口部を設けたことを特徴とする長尺物保持具。
【請求項３】
長尺物を挟み込んで保持する長尺物保持具において、長尺物を挟み込むための空間を隔てて設けられた挟み込み部と、当該挟み込み部を支持するベース部とを設け、当該ベース部を取り付け対象物の外周部分を利用して固定するための固定部材を介して、予め定められた角度のいずれか一つを選択して取り付け対象物に固定するための固定部材取付部を設けているものであって、
ベース部の高さが保持部ないし挟み込み部の後端側の高さとほぼ同じであるとともに、ベース部と保持部ないし挟み込み部の左右の外側部分とが接する箇所からベース部の後端面側に向けて貫通する固定部材取付部である開口部、及びベース部と挟み込み部との間に上下に貫通する固定部材取付部である開口部を設けたことを特徴とする長尺物保持具。
【請求項４】
前記固定部材が帯状物であることを特徴とする請求項１、２、３に記載の長尺物保持具。
【請求項５】
前記固定部材取付部が帯状物を取り外し可能に設けられた取付部であることを特徴とする請求項１、２、３、４に記載の長尺物保持具。
【請求項６】
前記固定部材取付部が帯状物を互いに直交する方向に挿入できる位置に設けた取付部であることを特徴とする請求項１、２、３、４、５に記載の長尺物保持具。
【請求項７】
前記挟み込み部およびベース部を弾性部材で構成したことを特徴とする請求項１、２、３、４、５、６に記載の長尺物保持具。
【発明の詳細な説明】
【０００１】
【発明の属する技術分野】
本発明は、杖や傘などの長尺物を挟み込んで保持する長尺物保持具に関するものである。
【０００２】
【従来の技術】
従来、高齢者や病弱者などのように杖を常に使用する者に対して、そのような杖を椅子などに取り付けられるようにした保持具が提案されている。このような保持具は、例えば、ベース部材に対して回転可能な挟み込み部を設けて任意の角度に杖を保持できるようにしたものや、また、このように構成された保持具を椅子などの適所にネジなどを用いて取り付けるようにしたものである。
【０００３】
【発明が解決しようとする課題】
ところが、このように挟み込み部を回転可能に構成すると、そのための回転機構が必要となり、複雑になり過ぎるという問題があった。また、このような保持具をネジなどで椅子に取り付けるようにすると、取り付け対象物に傷を付けてしまうばかりでなく、ねじ込み作業に力を要するため、高齢者以外の者にその作業を依頼しなければならないという問題を有していた。
【０００４】
そこで、本発明は、以上のような不具合に鑑みてなされたものであり、取り付け対象物の取り付け部位の選択ができるようにした長尺物保持具であって、取り付け対象物を傷つけることなく、また高齢者などにも簡単に取り付けられるような長尺物保持具を提供することを目的とする。
【０００５】
【課題を解決するための手段】
上記目的を達成するために、本発明は、長尺物を保持する長尺物保持具において、長尺物を保持する保持部と、当該保持部を支持するベース部とを設け、当該ベース部を取り付け対象物に固定するための固定部材を介して、予め定められた角度のいずれか一つを選択して取り付け対象物に固定するための固定部材取付部を設けているものであって、ベース部の高さが保持部ないし挟み込み部の後端側の高さとほぼ同じであるとともに、ベース部と保持部ないし挟み込み部の左右の外側部分とが接する箇所からベース部の後端面側に向けて貫通する固定部材取付部である開口部、及びベース部と挟み込み部との間に上下に貫通する固定部材取付部である開口部を設けたことを特徴とするものである。
【０００６】
このように構成すれば、長尺物保持具を椅子などの取り付け対象物に取り付ける場合において、固定部材取り付け部の予め定められた角度のうち長尺物を保持するために好適となる方法を選択して取り付けることができる。
【０００７】
また、別の発明では、長尺物を挟み込んで保持する長尺物保持具において、長尺物を挟み込むための空間を隔てて設けられた挟み込み部と、当該挟み込み部を支持するベース部とを設け、当該ベース部を取り付け対象物に固定するための固定部材を介して、予め定められた角度のいずれか一つを選択して取り付け対象物に固定するための固定部材取付部を設け、ベース部の高さが保持部ないし挟み込み部の後端側の高さとほぼ同じであるとともに、ベース部と保持部ないし挟み込み部の左右の外側部分とが接する箇所からベース部の後端面側に向けて貫通する固定部材取付部である開口部、及びベース部と挟み込み部との間に上下に貫通する固定部材取付部である開口部を設けるようにする。このように挟み込みによって長尺物を保持するようにすれば、吊り下げて保持する場合や、底部を有する円筒状の保持部に長尺物を保持させる場合に比べて、安定して、かつ、簡易に長尺物を保持することができる。
【０００８】
また、このようなベース部を取り付ける場合、例えば、椅子の肘掛部などのような部分の外周部分を抱き込むように、或いは、巻き付けるように取り付ければ、ネジなどを用いて固定する場合などのように取付対象物を傷つけることがなくなる。
【０００９】
また、このような発明において、固定部材が帯状物とすれば、任意の径を有する取り付け対象物、例えば、椅子の脚部や肘掛部などに、着脱可能に取り付けることができるので、ネジ込むことによって生じる傷を防止することができるようになる。また、このように帯状物を用いて取り付けるようにすれば、ドライバーなどの道具を必要とすることなく取り付け対象物に取り付けることができ、高齢者などで力のない者にも簡単に取り付け作業を行うことができる。なお、この帯状物としては、例えば、面ファスナなどのような帯状物を用いると、任意の位置に簡単に取り付けることができる。
【００１０】
また、このような帯状物を長尺物保持具から取り外しできるようなものにすれば、長尺物保持具と固定部材とを分けて携行することができ、より自由度を持たせた持ち運びを可能にすることができる。
【００１１】
また、このような帯状物を互いに直交する方向に挿入できるように設ければ、２つの態様を選択して取り付けることができ、例えば、肘掛部と脚部といった互いに直交した方向に設けてある部位を有する椅子などに取り付ける場合には、所望の位置や角度に取り付けができるようになる。
【００１２】
また、このような長尺物保持具を弾性部材で構成させれば、固定部材たる帯状物で押圧固定する場合に、その取付部分の形状に沿って圧縮変形し、接触面積が広くなることによって、ある程度凸凹を有する取り付け対象物にも取り付けることができるようになる。
【００１３】
そして、以上に述べた発明では、ベース部と保持部ないし挟み込み部の左右の外側部分とが接する箇所からベース部の後端面側に向けて貫通する固定部材取付部である開口部、及びベース部と挟み込み部との間に上下に貫通する固定部材取付部である開口部を設けているので、より長尺物に近い部分を保持させ、安定して杖などの長尺物を取り付けることが可能になる。
【００１４】
【発明の実施の形態】
以下、本発明の一実施形態を、図面を参照して説明する。図１は、本発明における長尺物保持具１に対して水平な方向に固定部材である帯状物２を取り付けた様子を示したものであり、図２は、長尺物保持具１に対して、垂直な方向に帯状物２を取り付けた様子を示したものである。
【００１５】
長尺物保持具１は、例えばウレタンなどのように軽量かつ伸縮性を有する弾性部材によって一体に成形されたものであって、本発明の保持部である挟み込み部１１として、長尺物である杖を挟むための略円柱状に開口された空間１１１を隔てて左右の側壁部１１２を設けるとともに、この挟み込み部１１の側壁部１１２基端から連続して構成されている略直方体の形状をしたベース部１２とを設けてなるものである。
【００１６】
この挟み込み部１１は、弱い力で長尺物を挿抜できるように、その側壁部１１２を、平面視において前方に向かって若干狭まるような形状にしており、かつ側面視においても前方に向かって若干狭まるような形状をしている。また、この側壁部１１２の二つの前端部１１２ａの間を長尺物挿入部１１３として設け、この長尺物挿入部１１３から前端部１１２ａを押し広げながら空間１１１に杖を出し入れできるようにしている。この空間１１１は、例えば、一般的な杖が収まるような径をもつ円柱状の空間に形成されており、また、長尺物挿入部１１３についても、一旦挟み込まれた杖などが外れないように、その幅を長尺物挿入部１１３の内径より小さく設定している。なお、杖の径が空間１１１の径より小さいものであっても、空間１１１の両側に形成された側壁部１１２に寄りかかるように保持できるようにするため、側壁部１１２の上端部分に丸味を設けている。一方、杖の径が空間１１１の内径より大きいものであっても、空間１１１を取り囲む側壁部１１２を、ウレタンなどで構成することによって幾分外側に弾性変形をした状態で容易に径の太い杖を保持できるようにしている。
【００１７】
この挟み込み部１１の後部に設けられたベース部１２は、側壁部１１２の後端側と略同じ高さを有する直方体形状をしており、側壁部１１２の後端側の左右幅よりも長くなるように設けている。また、ベース部１２の奥行きの幅は、ベース部１２を取り付け対象物の取り付け部位に沿わせて弾性変形させるために、比較的厚い幅に設けている。このようにすることによって、取り付け対象物の取り付け部位に凹凸や湾曲部分が存在する場合であっても、帯状物２で固定することによってベース部１２が弾性変形して接触面積を大きくすることができ、これによって、ベース部１２の後端部１２１を確実に取り付けることができるようになる。なお、この帯状物２は、例えば、面ファスナ、すなわち、一方の面にフック状の突起部を無数設けるとともに、反対面側にこのフック状の突起部に係り合うループ状の無数の突起部を設けたような帯状物を用いると、結び動作を行うことなく簡単に任意の長さで留めることができる。
【００１８】
また、ベース部１２には、ベース部１２と挟み込み部１１の左右の側壁部１１２の外側部分とが接する場所から後端面１２１側に向かって貫通した帯状物２を通すための固定部材取付部である開口部３ａが設けられている。また、ベース部１２と挟み込み部１１の間に上下方向に貫通した、帯状物２を通すための固定部材取付部である開口部３ｂが設けられている。
【００１９】
次に、固定部材たる帯状物２を、固定部材取り付け口である開口部３ａまたは３ｂに通して取り付け対象物である椅子４に取り付けて使用する方法について図３、４を用いて述べる。
【００２０】
図３、４は、取り付け対象物として椅子４を例にとって説明するものであって、この椅子４は、長方形の形状の断面を有する水平方向に設けられている肘掛け部４２とこの肘掛け部４２の前端から垂直方向に設けられている脚部４１とを有してなるのものである。
【００２１】
図３は、椅子４の垂直方向に設けられている脚部４１に、長尺物保持具１を取り付けて、長尺物である杖５を保持させた場合の使用例を示したものである。この場合、まず、長尺物保持具１に対して、図１に示したように帯状物２をこの開口部３ａの一方からベース１２の後端面１２１側に向かって通し、ベース部１２の後端面１２１に沿わせて、もう一方の開口部３ａに後端面１２１側から前方側に向けて通す。このようにした長尺物保持具１を脚部４１の外側の面に当て、帯状物２を脚部４１にベース部分１２を押圧しながら巻き付けて固定する。なお、この際、脚部４１において長尺物保持具１を取り付ける高さは、保持する長尺物である杖５が倒れないような高さに設定する。そして、長尺物保持具１を固定した後、杖５を空間１１１に押し込んで保持する。
【００２２】
図４は、椅子４の水平方向に設けられている肘掛け部４２に、長尺物保持具１取り付けて、杖５を保持させた場合の使用例を示したものである。この場合、まず長尺物保持具１に対して、図２に示したように開口部３ｂに帯状物２を貫通させた状態でこの長尺物保持具１を肘掛け部４２の外側に当て、次に帯状物２を肘掛け部４２にベース部分１２を押圧しながら巻き付けて固定する。そして、長尺物保持具１を固定した後、杖５を空間１１１に押し込んで保持する。
【００２３】
このように本実施形態によれば、長尺物を挟み込んで保持する長尺物保持具１において、長尺物を挟み込むための空間１１１を隔てて設けられた挟み込み部１１と、当該挟み込み部１１を支持するベース部１２とを設け、当該ベース部１２を取り付け対象物に固定するための固定部材たる帯状物２を介して、予め定められた２種類の角度のいずれか一方を選択して取り付け対象物に固定するための固定部材取付部である開口部３ａと３ｂとを設けたので、長尺物保持具を軽量化することができ、また、椅子４の脚部４１や肘掛け部４２などにも容易に取り付けることができる。また、帯状物を用いて椅子４に取り付けるようにしたので、椅子４に傷をつけることなく、しかも簡単に取り付けることができる。
【００２４】
また、この実施の形態においては椅子４を例にとって説明したが、これに限らず、ベッドや机などにも適用することができ、例えば、ベッドであれば、脚部にも柵のパイプフレームにも取り付けることができる。
【００２５】
なお、その他、各部の具体的構成についても上記実施形態に限られるものではなく、本発明の趣旨を逸脱しない範囲で種々変形が可能である。
【００２６】
例えば、帯状物２として、マグネット性のテープを用いることができ、この場合、開口部を通したマグネット性のテープの両端を吸着させて長尺物保持具１を取り付けることができる。
【００２７】
また、帯状物２の取り付け口である開口部３ａ、３ｂを直交するように設けず、開口部３ｂを帯状物２の幅よりも広く設け、その開口部３ｂの幅内で帯状物２を斜めにずらすようにして取り付け角度を調節して取り付けてもよい。
【００２８】
【発明の効果】
本発明は、以上説明したような形態で実施され、以下に記載されるような効果を奏する。
【００２９】
すなわち、本発明は、長尺物を保持する長尺物保持具において、長尺物を保持する保持部と、当該保持部を支持するベース部とを設け、当該ベース部を取り付け対象物に固定するための固定部材を介して、予め定められた角度のいずれか一つを選択して取り付け対象物に固定するための固定部材取付部を設けるようにしたので、固定部材取り付け部の予め定められた角度のうち長尺物を保持するために好適となる方法を選択して取り付けることができる。
【００３０】
また、長尺物を挟み込むための空間を隔てて設けられた挟み込み部と、当該挟み込み部を支持するベース部とを設け、当該ベース部を取り付け対象物に固定するための固定部材を介して、予め定められた角度のいずれか一つを選択して取り付け対象物に固定するための固定部材取付部を設けるようにしたので、吊り下げて保持する場合や、底部を有する円筒状の保持部に長尺物を保持させる場合に比べて、安定して、かつ、簡易に長尺物を保持することができる。
【００３１】
また、このようなベース部を取り付ける場合、取付対象物の外周部分を利用して取り付けるようにしたので、ネジなどを用いて固定する場合などのように取付対象物を傷つけることがなくなる。
【００３２】
また、固定部材に帯状物を使用したので、取り付け対象物を傷つけることがなくなり、また、その取り付け作業も簡単に行うことができるようになる。
【００３３】
更に、保持具と固定部材を分けることができるように構成したので、分離して携帯することが可能になり、より携行の自由度を増すことができるようになる。
【００３４】
また、このような帯状物を互いに直交する方向に挿入できるように設けたので、２つの態様を選択して取り付けることができ、例えば、肘掛部と脚部といった互いに直交した方向に設けてある部位を有する椅子などに取り付ける場合には、所望の位置や角度に取り付けができるようになる。
【００３５】
また、このような長尺物保持具を弾性部材で構成させたので、固定部材たる帯状物で押圧固定する場合に、その取付部分の形状に沿って圧縮変形し、接触面積が広くなることによって、ある程度凸凹を有する取り付け対象物にも取り付けることができるようになる。
【００３６】
また、ベース部と保持部ないし挟み込み部の左右の外側部分とが接する箇所からベース部の後端面側に向けて貫通する固定部材取付部である開口部、及びベース部と挟み込み部との間に上下に貫通する固定部材取付部である開口部を設けているので、より長尺物に近い部分を保持させ、安定して杖などの長尺物を取り付けることが可能になる。
【図面の簡単な説明】
【図１】本発明の実施形態における長尺物保持具を示す斜視図。
【図２】同形態における長尺物保持具を示す斜視図。
【図３】同形態における使用状態を示す斜視図。
【図４】同形態における使用状態を示す斜視図。
【符号の説明】
１…長尺物保持具
２…帯状物
３ａ…固定部材取付部（開口部）
３ｂ…固定部材取付部（開口部）
４…取り付け対象物（椅子）
１１…保持部（挟み込み部）
１２…ベース部
１１１…空間
【図１】
0003822052.tif 000002
【図２】
0003822052.tif 000003
【図３】
0003822052.tif 000004
【図４】
0003822052.tif 000005